(57)【要約】【課題】迷惑電話や迷惑ファクシミリを防止した通信端末装置を提供する。【解決手段】あらかじめ例えば短縮ダイヤル登録時などに相手先電話番号をボックス番号とするメモリボックス１３を作成しておく。着信があると、発信元の電話番号を取得し、その電話番号と一致するボックス番号を有するメモリボックス１３が存在するか否かを判定する。発信元の電話番号が取得できない場合や、取得した電話番号と一致するボックス番号を有するメモリボックス１３が存在しない場合には、着信を拒否する。このようにして、従来から利用されているメモリボックスの機能を用いて着信の可否を制御することができ、迷惑電話や迷惑ファクシミリの受信を防止することができる。【選択図】図１
2008005134.tif 000002
【特許請求の範囲】
【請求項１】
回線を通じて通話やファクシミリ通信を行う通信手段と、ファクシミリ画像を格納するメモリボックスを相手先電話番号と対応づけて登録可能な記憶手段と、前記通信手段を通じて通信を制御するとともに着信時に受け取った電話番号が対応づけられたメモリボックスが存在しないときに着信を拒否する制御手段を有することを特徴とする通信端末装置。
【請求項２】
前記制御手段は、着信時に電話番号が送られてこない場合には、着信を拒否することを特徴とする請求項１に記載の通信端末装置。
【請求項３】
前記メモリボックスは、短縮ダイヤル又は電話帳の登録時に入力された相手先電話番号を対応づけて作成されることを特徴とする請求項１または請求項２に記載の通信端末装置。
【発明の詳細な説明】
【技術分野】
【０００１】
本発明は、公衆回線や専用線などの回線を通じて通話やファクシミリ通信を行う通信端末装置に関するものである。
【背景技術】
【０００２】
電話やファクシミリが一般に利用されているが、旧来より受けたくない迷惑電話がかかってきたり、受信したくない迷惑ファクシミリが送られてきて無駄に紙を消費するといった問題が発生している。この問題に対して様々な対策が講じられてきている。
【０００３】
例えばナンバディスプレイによって着信時に相手先の電話番号を確認することができるが、ユーザが電話番号を確認して判断しなければならない。また、通話あるいは受信したくない相手先電話番号を登録しておき、その電話番号からの着信を拒否することも行われている。しかし、最近では相手先が異なる電話番号から迷惑電話をかけたり迷惑ファクシミリを送信するなど、悪質化している。さらに、例えば特許文献１に記載されているように電話帳登録された相手先からの着信のみを受け付けることも考えられている。しかし、発信と着信の電話番号が一致している場合でなければ利用できず、両者が異なる場合などでは無駄に多くの登録を余儀なくされていた。
【０００４】
一方、ファクシミリ受信した画像を区分けして保存するための機能として、メモリボックスを利用する機能がある。メモリボックスにボックス番号とパスワードを設定しておき、送信側からボックス番号をサブアドレスで指定することによって、その指定したメモリボックスに画像を格納することができる。メモリボックスに格納された画像を取り出す際には、ボックス番号とパスワードを指定することになる。また、親展受信する場合や、発呼側がポーリング受信する場合などでも用いられている。メモリボックスは、従来、上述のようにファクシミリ受信した画像を保存したり、ポーリング送信する画像を保存しておくためにしか利用されてこなかった。
【０００５】
【特許文献１】特開２００３−１２５０６６号公報
【発明の開示】
【発明が解決しようとする課題】
【０００６】
本発明は、上述した事情に鑑みてなされたもので、迷惑電話や迷惑ファクシミリを防止した通信端末装置を提供することを目的とするものである。
【課題を解決するための手段】
【０００７】
本発明は、メモリボックスを利用可能な通信端末装置であって、回線を通じて通話やファクシミリ通信を行う通信手段と、ファクシミリ画像を格納するメモリボックスを相手先電話番号と対応づけて登録可能な記憶手段と、通信手段を通じて通信を制御するとともに着信時に受け取った電話番号が対応づけられたメモリボックスが存在しないときに着信を拒否する制御手段を有することを特徴とするものである。さらに制御手段は、着信時に電話番号が送られてこない場合についても着信を拒否するように構成することができる。
【０００８】
なお、メモリボックスは、短縮ダイヤル又は電話帳の登録時に入力された相手先電話番号を対応づけて作成することができる。
【発明の効果】
【０００９】
本発明によれば、従来よりファクシミリ画像の保存に利用されてきた既存のメモリボックスの機能を利用し、相手先電話番号と対応づけたメモリボックスを作成しておき、着信時に受け取った電話番号が対応づけられているメモリボックスが存在していない時には着信を拒否する。これによって、着信したい相手先の電話番号を対応づけたメモリボックスを作成しておけば、その相手先からの着信を受け付け、他の相手先からの着信を拒否することによって、迷惑電話や迷惑ファクシミリを防止することができるという効果がある。着信時に電話番号が送られてこない場合についても着信を拒否することによって、さらに迷惑電話や迷惑ファクシミリの防止効果を向上させることができる。また、短縮ダイヤルや電話帳の登録時に、入力された相手先の電話番号を対応づけたメモリボックスを作成しておけば、ユーザは改めてメモリボックス作成のための相手先電話番号の入力を行うことなく、簡単に着信したい相手先の電話番号に対応するメモリボックスを作成しておくことができる。
【発明を実施するための最良の形態】
【００１０】
図１は、本発明の実施の一形態を示すブロック図である。図中、１は通信端末装置、２は回線、１１は通信部、１２は記憶部、１３はメモリボックス、１４は操作部、１５は制御部、１６はハンドセットである。通信端末装置１は、公衆回線などの回線２を通じて通話やファクシミリ通信を行うことができる。この例では、通信端末装置１は通信部１１、記憶部１２、メモリボックス１３、操作部１４、制御部１５、ハンドセット１６等を含んで構成されている。もちろん、読取部や記録部など他の構成を含んでいたり、ハンドセット１６など一部の構成を含まずに構成することも可能である。
【００１１】
通信部１１は、回線２を通じて通話やファクシミリ通信を実現する。制御部１４からの制御に従って、通話時にハンドセット１６への切り替えなども行う。
【００１２】
記憶部１２は、通信端末装置１における様々な情報を記憶しておくことができるが、ここでは記憶部１２にメモリボックス１３を登録することができる。このメモリボックス１３には、通常は受信したファクシミリ画像や、送信またはポーリングにより送信する画像などを格納しておくことができる。例えばファクシミリ通信時に相手先から送られてきたサブアドレスによりメモリボックス１３を特定し、そのメモリボックス１３にファクシミリ画像を格納したり、あるいは格納されている画像をポーリング送信することができる。本発明では、このメモリボックス１３に相手先電話番号を対応づけて登録することができ、このメモリボックス１３に対応づけられている相手先電話番号を用いて、後述する制御部１５が迷惑電話や迷惑ファクシミリを防止する。なお、メモリボックス１３は複数登録しておくことが可能である。
【００１３】
操作部１４は、ユーザが通信端末装置１に対して指示を行うためのユーザインタフェースを提供する。例えば、相手先電話番号を入力するためのテンキーやワンタッチキーなど、様々な入力手段を有していてよい。また、例えば通信端末装置１に対する各種の設定も、この操作部１４から行うことができ、例えばワンタッチキーや電話帳機能への相手先電話番号の登録を行うことができる。
【００１４】
制御部１５は、通信端末装置１の各部を制御する。特に本発明では、通信部１１に着信した時の制御として、相手先の電話番号を受け取って、その受け取った電話番号が対応づけられたメモリボックス１３が存在するか否かを判断し、存在しない場合には着信を拒否する。また、相手先の電話番号が送られてこなかった場合にも、着信を拒否するように構成することができる。このような着信時の制御によって、メモリボックス１３に対応づけられている電話番号からの着信のみを受けることができ、迷惑電話や迷惑ファクシミリを防止することができる。なお、この制御部１５によって操作部１４のワンタッチキーへの電話番号の登録や電話帳機能なども実現し、これらの登録時に入力された相手先電話番号を対応づけたメモリボックス１３を作成する。なお、ワンタッチキーへの登録情報や電話帳の情報などは、記憶部１２に記憶させておくことができる。
【００１５】
ハンドセット１６は、ユーザが通話するために使用される。このハンドセット１６は設けずに構成してもよい。また、ハンドセット１６の代わりに外部に電話機が接続可能であっても良い。
【００１６】
次に、本発明の実施の一形態における動作の一例について説明する。図２は、メモリボックス作成時の動作の一例を示すフローチャートである。ここでは短縮ダイヤル登録時にメモリボックス１３を作成する場合について示している。Ｓ２１において、ユーザは登録を行いたい短縮番号を入力する。続いてＳ２２において、Ｓ２１で入力された短縮番号に登録したい相手先の電話番号を入力する。Ｓ２３において、登録してよいか否かをユーザに問い合わせ、登録しない場合にはそのまま処理を終える。登録してよい旨の指示があった場合には、Ｓ２４において、Ｓ２１で入力された短縮番号にＳ２２で入力された電話番号を対応づけて登録する。これによって、従来より利用されている短縮ダイヤル機能の登録を行うことができる。なお、短縮番号と相手先の電話番号を対応づけた情報は、記憶部１２に記憶させておくことができる。
【００１７】
本発明ではさらにＳ２５において、Ｓ２２で入力された相手先の電話番号をボックス番号とするメモリボックス１３を作成する。これによって、通常は発信時に用いるための相手先電話番号から着信した場合に、その着信を受け付けるようになる。短縮ダイヤル登録を行う相手先については着信も受け付ける場合が多いことから、短縮ダイヤル登録時にメモリボックス１３の作成も行うことによって、重複した電話番号の入力を行わずに済ますことができる。
【００１８】
ここでは短縮ダイヤル機能を利用するための登録操作時に、メモリボックス１３を作成する例を示した。本発明はこれに限らず、例えばワンタッチキーへの登録時や、電話帳機能の登録時に、同時に相手先電話番号をボックス番号としたメモリボックス１３を作成するように構成することができる。もちろん、通常のメモリボックス１３を作成する操作を行って、その操作においてボックス番号を相手先電話番号として登録してもよい。また、ある程度利用した後であれば、着信履歴や発信履歴をもとに、ユーザが取捨選択した電話番号をボックス番号としたメモリボックス１３を一括して作成する機能を有していてもよい。なお、相手先電話番号がボックス番号となっているメモリボックス１３を削除する操作を行えば、その相手先電話番号からの着信を拒否するようになる。
【００１９】
図３は、着信時の動作の一例を示すフローチャートである。通信部１１が回線２からの着信を検出すると、Ｓ３１において一次応答を行う。この一次応答に対して、回線２からナンバーディスプレイ機能などにより発電話番号が送られてくるので、Ｓ３２においてこれを取得する。Ｓ３３において、Ｓ３２で発電話番号を取得できたか否かを判断する。例えば相手先が番号非通知設定の場合や公衆電話などからの着信の場合には、発電話番号が送られてこないのでＳ３２で取得できない。このような場合には、Ｓ３４において着信を拒否し、処理を終了する。
【００２０】
発電話番号を取得できた場合には、さらにＳ３５において、取得した発電話番号をボックス番号としたメモリボックス１３が存在するか否かを判定する。この判定は、両者が完全に一致するか否かを判定するほか、一部のみを比較して判定してもよい。例えばいずれかの先頭に国コードが付加されていたり、電話会社の識別番号が付加されるなど、発電話番号とメモリボックス１３のボックス番号として設定されている電話番号とが完全に一致しない場合もある。このような場合に不一致と判定しないため、例えば下４〜９桁のみを比較するなど、一部のみの比較を行ってもよい。
【００２１】
Ｓ３５の判定で発電話番号と一致すると判定されたボックス番号を有するメモリボックス１３が存在した場合には、Ｓ３６においてそのまま着信を受け付ける。そして、例えば通話であれば呼び出し音を発し、ハンドセット１６による通話を可能にする。またファクシミリ通信であれば、ファクシミリ通信手順を実行し、ファクシミリ受信あるいはポーリング発信を行えばよい。
【００２２】
また、Ｓ３５の判定で、発電話番号と一致すると判定されたボックス番号を有するメモリボックス１３が存在しなかった場合には、Ｓ３４において着信を拒否し、処理を終える。
【００２３】
このようにして、発電話番号が送られてこなかった場合や、発電話番号をボックス番号として持つメモリボックス１３が存在しなかった場合には、着信を拒否することができる。これによって、迷惑電話や迷惑ファクシミリの受信などを防ぐことができる。
【００２４】
上述の動作例では、ナンバーディスプレイ機能により発電話番号を取得する例を示したが、迷惑ファクシミリの受信を防止するだけであれば、ファクシミリ通信手順中で送られてくる発信元情報をメモリボックス１３のボックス番号とを比較するように構成してもよい。発信元情報は、例えばファクシミリ通信手順中のＴＳＩなどで受け取ることができる。比較の結果、一致と判定されればファクシミリ通信手順を続行し、不一致と判定された場合は通信を終了すればよい。
【００２５】
また、本発明ではメモリボックス１３を利用して着信の可否を判定しているので、着信を受けると判定され、ファクシミリ受信する場合には、相手先の電話番号と一致する電話番号がボックス番号として登録されたメモリボックス１３に受信したファクシミリ画像を自動的に格納するように構成してもよい。これによって、受信したファクシミリ画像を送信元により仕分けることができる。
【００２６】
なお、上述の説明では受け取った電話番号と一致する電話番号をボックス番号とするメモリボックス１３が存在していたとき、着信を受けるものとしたが、逆に着信を拒否するといった利用方法も可能である。
【図面の簡単な説明】
【００２７】
【図１】本発明の実施の一形態を示すブロック図である。
【図２】メモリボックス作成時の動作の一例を示すフローチャートである。
【図３】着信時の動作の一例を示すフローチャートである。
【符号の説明】
【００２８】
１…通信端末装置、２…回線、１１…通信部、１２…記憶部、１３…メモリボックス、１４…操作部、１５…制御部、１６…ハンドセット。
【図１】
2008005134.tif 000003
【図２】
2008005134.tif 000004
【図３】
2008005134.tif 000005